(57)【要約】  多重入出力を有するスイッチャブル結合器／分配器を提供する。多重入出力を有するスイッチャブル結合器／分配器は、複数の入力信号を受信する複数の入力ポートと、複数の出力ポートと、上記複数の入力ポートを上記複数の出力ポートに循環構成形態で二者択一に接続するスイッチング部と、スイッチング制御信号を上記スイッチング部に提供する制御器と、を含む。
2010504681.tif 000002
【特許請求の範囲】
【請求項１】
複数の入力信号を受信する複数の入力ポートと、
複数の出力ポートと、
前記複数の入力ポートを前記複数の出力ポートに循環構成形態で二者択一に接続するスイッチング部と、
スイッチング制御信号を前記スイッチング部に提供する制御器と、
を具備することを特徴とする多重入出力を有するスイッチャブル結合器／分配器。
【請求項２】
ｎ個の入力ポートと、
前記複数の出力ポートの中の任意の出力ポートと前記ｎ個の入力ポートとの間に追加されるｎ個のスイッチとをさらに含むことを特徴とする請求項１に記載の多重入出力を有するスイッチャブル結合器／分配器。
【請求項３】
ｎ個の出力ポートと、
前記複数の入力ポートの中の任意の入力ポートと前記ｎ個の出力ポートとの間に追加されるｎ個のスイッチとをさらに含むことを特徴とする請求項１に記載の多重入出力を有するスイッチャブル結合器／分配器。
【請求項４】
待機ポートと、
前記制御器から受信されたスイッチング制御信号でスイッチングするために、前記複数の出力ポートと前記待機ポートとの間に追加される第２のスイッチング部とをさらに含むことを特徴とする請求項１乃至請求項３のうちのいずれか１項に記載の多重入出力を有するスイッチャブル結合器／分配器。
【請求項５】
待機ポートと、
前記制御器から受信されたスイッチング制御信号でスイッチングするために、前記複数の出力ポートと前記待機ポートとの間に追加される第３のスイッチング部とをさらに含むことを特徴とする請求項１乃至請求項３のうちのいずれか１項に記載の多重入出力を有するスイッチャブル結合器／分配器。
【請求項６】
複数の付加入力ポートと、
前記制御器から受信されたスイッチング制御信号でスイッチングするために、前記複数の付加入力ポートの各々の一端及び他端と前記複数の出力ポートの中所定の２個の出力ポート間に追加される付加スイッチング部をさらに含むことを特徴とする請求項１乃至請求項３のうちのいずれか１項に記載の多重入出力を有するスイッチャブル結合器／分配器。
【請求項７】
３個の入力信号を受信する第１、第２、及び第３の入力ポートと、
第１、第２、及び第３の出力ポートと、
前記第１、第２、及び第３の入力ポートを前記第１、第２、及び第３の出力ポートに循環構成形態で二者択一に接続する第１乃至第６のスイッチと、
スイッチング制御信号を前記スイッチに提供する制御器と、
を具備することを特徴とする多重入出力を有するスイッチャブル結合器。
【請求項８】
第４の入力ポートと、
前記第１、第２、及び第３の出力ポートの中の任意の出力ポートと前記第４の入力ポートとの間に追加される第７のスイッチとをさらに含むことを特徴とする請求項７に記載の多重入出力を有するスイッチャブル結合器。
【請求項９】
第５の入力ポートと、
前記第１、第２、及び第３の出力ポートの中の任意の出力ポートと前記第５の入力ポートとの間に追加される第８のスイッチとをさらに含むことを特徴とする請求項８に記載の多重入出力を有するスイッチャブル結合器。
【請求項１０】
第６の入力ポートと、
前記第１、第２、及び第３の出力ポートの中の任意の出力ポートと前記第６の入力ポートとの間に追加される第９のスイッチとをさらに含むことを特徴とする請求項９に記載の多重入出力を有するスイッチャブル結合器。
【請求項１１】
ｎ個の入力ポートと、
前記第１、第２、及び第３の出力ポートの中の任意の出力ポートと前記ｎ個の入力ポートとの間に追加されるｎ個のスイッチとをさらに含むことを特徴とする請求項７に記載の多重入出力を有するスイッチャブル結合器。
【請求項１２】
１つの待機ポートと、
前記待機ポートと前記第１、第２、及び第３の出力ポートとの間に追加されるスイッチとをさらに含むことを特徴とする請求項７乃至請求項１１のうちのいずれか１項に記載の多重入出力を有するスイッチャブル結合器。
【請求項１３】
第１、第２、及び第３の付加入力ポートと、
前記制御器から受信されたスイッチング制御信号により、前記第１の付加入力ポートを前記第１の出力ポート又は前記第３の出力ポートにスイッチングし、及び／又は前記第２の付加入力ポートを前記第１の出力ポート又は第２の出力ポートにスイッチングし、及び／又は前記第３の付加入力ポートを前記第２の出力ポート又は第３の出力ポートにスイッチングする付加スイッチング部とをさらに含むことを特徴とする請求項７乃至請求項１１のうちのいずれか１項に記載の多重入出力を有するスイッチャブル結合器／分配器。
【請求項１４】
３個の入力信号を受信する第１、第２、及び第３の入力ポートと、
第１、第２、及び第３の出力ポートと、
前記第１、第２、及び第３の入力ポートを前記第１、第２、及び第３の出力ポートに循環構成形態で二者択一に接続する第１乃至第６のスイッチと、
スイッチング制御信号を前記スイッチに提供する制御器と、
を具備することを特徴とする多重入出力を有するスイッチャブル分配器。
【請求項１５】
第４の出力ポートと、
前記第１、第２、及び第３の入力ポートの中の任意の入力ポートと前記第４の出力ポートとの間に追加される第７のスイッチとをさらに含むことを特徴とする請求項１４に記載の多重入出力を有するスイッチャブル分配器。
【請求項１６】
第５の出力ポートと、
前記第１、第２、及び第３の入力ポートの中の任意の入力ポートと前記第５の出力ポートとの間に追加される第８のスイッチとをさらに含むことを特徴とする請求項１５に記載の多重入出力を有するスイッチャブル分配器。
【請求項１７】
第６の出力ポートと、
前記第１、第２、及び第３の入力ポートの中の任意の入力ポートと前記第６の出力ポートとの間に追加される第９のスイッチとをさらに含むことを特徴とする請求項１６に記載の多重入出力を有するスイッチャブル分配器。
【請求項１８】
ｎ個の出力ポートと、
前記第１、第２、及び第３の入力ポートの中の任意の入力ポートと前記ｎ個の出力ポートとの間に追加されるｎ個のスイッチとをさらに含むことを特徴とする請求項１４に記載の多重入出力を有するスイッチャブル分配器。
【請求項１９】
１つの待機ポートと、
前記待機ポートと前記第１、第２、及び第３の入力ポートとの間に追加されるスイッチとをさらに含むことを特徴とする請求項１４又は請求項１８に記載の多重入出力を有するスイッチャブル分配器。
【請求項２０】
第１、第２、及び第３の付加出力ポートと、
前記制御器から受信されたスイッチング制御信号により、前記第１の付加出力ポートを前記第１の入力ポート又は前記第３の入力ポートにスイッチングし、及び／又は前記第２の付加出力ポートを前記第１の入力ポート又は第２の入力ポートにスイッチングし、及び／又は前記第３の付加出力ポートを前記第２の入力ポート又は第３の入力ポートにスイッチングする付加スイッチング部とをさらに含むことを特徴とする請求項１４乃至請求項１８のうちのいずれか１項に記載の多重入出力を有するスイッチャブル結合器／分配器。
【発明の詳細な説明】
【技術分野】
【０００１】
本発明は、結合器／分配器に関し、より詳細には、Ｍ個の入力及びＮ個の出力を有するスイッチャブル結合器／分配器に関する。
【背景技術】
【０００２】
移動通信サービスプロバイダーは、サービスを提供するための周波数帯域を取得した後に、この取得した周波数帯域を複数の部分周波数帯域（周波数割当て：ＦＡ）に分割する。
【０００３】
また、サービス領域は、サービス領域のタイプ及び加入者の数に従ってＯＭＮＩセル又はセクタが分割されたセルとして構成される。
【０００４】
部分ＦＡは、各セクタに割り当てられる。通常、各セクタ内の最大コールレートをカバーすることができるように複数のＦＡを固定的に割り当てる。
【０００５】
例えば、１個のセクタが最大３個のＦＡを必要とする場合には、基地局では、総９個のＦＡを必要とし、９個のＦＡを処理するためには、幾つかの部品、ユニット、及び装置を必要とする。
【０００６】
ところで、３個のセクタの各々で同時に最大の通話が発生する確率は、非常に低い。従って、サービスプロバイダーは、通常、２個のＦＡを各セクタに割り当てた後に、低いコールレートを有する隣接セクタから１つのＦＡを３個のＦＡを要求するセクタに割り当てることができる。すなわち、ＦＡをダイナミックに割り当てることができる場合には、１つの基地局は、はじめから９個のＦＡを確保しなくても、少ないＦＡの数（６個のＦＡ）でも運用が可能である。
【０００７】
９個のＦＡ及び関連した装置がすでに設置されている場合には、基地局の動作効率は、各セクタに最大に割り当てられることができるＦＡの数を３個のＦＡから４個のＦＡに増加させることにより向上するであろう。
【０００８】
しかしながら、従来の技術では、Ｎ：１の固定結合器又は１：Ｎの固定分配器、及び複数のスイッチが使用されるため、このような接続構成は複雑となる。そのため、実現されても、挿入損失が大きく、コストが高いという短所があった。
【発明の概要】
【発明が解決しようとする課題】
【０００９】
したがって、本発明は、上述した従来技術の問題点を解決するために提案されたものであり、その目的は、Ｍ個の入力信号を受信した後に、この入力信号をＮ個の出力信号に結合させるＭ：Ｎスイッチャブル結合器と、Ｎ個の入力信号を受信した後に、この入力信号をＭ個の出力信号に分配させる相反的なＮ：Ｍスイッチャブル分配器とを提供することにある。
【００１０】
本発明の他の目的は、入力信号の出力方向をダイナミックに設定するための多重入出力を有するスイッチャブル結合器／分配器を提供することにある。
【００１１】
本発明のまた他の目的は、複数のスイッチ、結合器、及び分配器がケーブルにより接続される場合に比べて、必要とされるスイッチ接続点及びケーブルの数を減少させるための多重入出力を有するスイッチャブル結合器／分配器を提供することにある。
【００１２】
本発明のさらなる目的は、入力ポートに故障が発生した場合に、置換え可能な待機ポートを用いて信号を中断なしに送信するための多重入出力を有するスイッチャブル結合器／分配器を提供することにある。
【００１３】
本発明のもう１つの目的は、ｎ個の入力信号を追加するための多重入出力を有するスイッチャブル結合器／分配器を提供することにある。
【課題を解決するための手段】
【００１４】
上記のような目的を達成するために、本発明の実施形態の一態様によれば、複数の入力信号を受信する複数の入力ポートと、複数の出力ポートと、上記複数の入力ポートを上記複数の出力ポートに循環構成形態で二者択一に接続するスイッチング部と、スイッチング制御信号を上記スイッチング部に提供する制御器と、を具備することを特徴とする。
【発明の効果】
【００１５】
本発明による多重入出力を有するスイッチャブル結合器／分配器は、Ｍ個の入力信号を受信した後に、これを結合し分配することにより、Ｎ個の出力信号を送信する場合にスイッチング状態に基づいてその出力方向を選択的に設定することができる。
【００１６】
また、多重入出力を有するスイッチャブル結合器／分配器は、ポート間の不必要な送信ラインがないため、構造が簡単であり、損失が少なく、サイズが小さいという長所がある。
【００１７】
さらに、多重入出力を有するスイッチャブル結合器／分配器は、入出力信号の数をＮ個まで拡張することができる。
【００１８】
多重入出力を有するスイッチャブル結合器／分配器は、任意の入力ポートに故障が発生した場合にも、待機ポートを使用することにより信号送信の切断を防止することができる。
【図面の簡単な説明】
【００１９】
【図１】本発明の第１の実施形態による概略図である。
【図２】図１のスイッチング状態図である。
【図３】１個の入力ポートが追加される概略図である。
【図４】２個の入力ポートが追加される概略図である。
【図５】３個の入力ポートが追加される概略図である。
【図６】Ｎ個の入力ポートが追加される概略図である。
【図７】本発明の第２の実施形態による待機ポートの接続状態を示す概略図である。
【図８】本発明の第３の実施形態による概略図である。
【図９】図８のスイッチング状態図である。
【図１０】１個の入力ポートが追加される概略図である。
【図１１】２個の入力ポートが追加される概略図である。
【図１２】３個の入力ポートが追加される概略図である。
【図１３】Ｎ個の入力ポートが追加される概略図である。
【図１４】本発明の第４の実施形態による待機ポートの接続状態を示す概略図である。
【図１５】本発明の第５の実施形態による概略図である。
【図１６】本発明の第６の実施形態による概略図である。
【図１７】本発明の一実施形態による基地局に適用されたスイッチャブル結合器及び分配器アセンブリーの構成を示すブロック図である。
【発明を実施するための形態】
【００２０】
以下、本発明の好ましい実施形態を添付の図面を参照して詳細に説明する。
【００２１】
図１は、本発明の第１の実施形態による概略図である。図に示すように、３個の入力信号を受信する第１乃至第３の入力ポート（Ｐｉ１，Ｐｉ２，Ｐｉ３）と、第１乃至第３の出力ポート（Ｐｏ１，Ｐｏ２，Ｐｏ３）と、第１乃至第３の入力ポート（Ｐｉ１，Ｐｉ２，Ｐｉ３）を第１乃至第３の出力ポート（Ｐｏ１，Ｐｏ２，Ｐｏ３）に循環構成形態で二者択一に接続する第１乃至第６のスイッチ（ｓｗ１〜ｓｗ６）とを備える。
この際、スイッチ（ｓｗ１〜ｓｗ６）は、制御器（図示せず）のスイッチング制御信号により制御される。
【００２２】
以下、図２を参照して動作について説明する。
図２は、第１及び第３の入力ポート（Ｐｉ１，Ｐｉ３）に入力された第１及び第３の入力信号（ｓ１，ｓ３）を第３の出力ポート（Ｐｏ３）に出力する場合と、第２の入力ポート（Ｐｉ２）に入力された第２の入力信号（ｓ２）を第２の出力ポート（Ｐｏ２）に出力する場合を説明する。
【００２３】
まず、第１、第２、及び第４のスイッチ（ｓｗ１，ｓｗ２，ｓｗ４）をオフさせ、第３、第５、及び第６のスイッチ（ｓｗ３，ｓｗ５，ｓｗ６）をオンさせる。第１の入力ポート（Ｐｉ１）に入力された第１の入力信号（ｓ１）及び第３の入力ポート（Ｐｉ３）に入力された第３の入力信号（ｓ３）は結合され、、第３の出力ポート（Ｐｏ３）に送信され、第２の入力ポート（Ｐｉ２）に入力された第２の入力信号（ｓ２）は、第２の出力ポート（Ｐｏ２）に送信される。
【００２４】
上述した第１の実施形態によれば、３：３スイッチャブル結合器は、３個の入力ポートから３個の入力信号を受信し、これらを３個の出力ポートに送信し、スイッチング状態に基づいて入力信号の出力方向を選択的に設定することができる。
【００２５】
また、入力信号が追加される場合に、出力信号よりさらに多くの入力信号を有するスイッチャブル結合器として動作する。
【００２６】
図３に示すように、４：３スイッチャブル結合器は、第４の入力ポート（Ｐｉ４）を有する。第７のスイッチ（ｓｗ７）が第３の出力ポート（Ｐｏ３）を第４の入力ポート（Ｐｉ４）に接続する場合には、４：３スイッチャブル結合器は、４個の入力信号を受信した後に、３個の出力信号を送信する。
この際、第３の出力ポート（Ｐｏ３）は、最大３個の入力信号を結合する。
【００２７】
図４に示すように、第５の入力ポート（Ｐｉ５）は、図３の構成に追加される。第８のスイッチ（ｓｗ８）が第１の出力ポート（Ｐｏ１）を第５の入力ポート（Ｐｉ５）に接続する場合に、５：３スイッチャブル結合器は、５個の入力信号を受信した後に、３個の出力信号を送信する。
この際、第１及び第３の出力ポートは、それぞれ最大３個の入力信号を結合する。
【００２８】
図５に示すように、第６の入力ポート（Ｐｉ６）は、図４の構成に追加される。第９のスイッチ（ｓｗ９）が第２の出力ポート（Ｐｏ２）を第６の入力ポート（Ｐｉ６）に接続する場合に、６：３スイッチャブル結合器は、６個の入力信号を受信した後に、３個の出力信号を送信する。
この際、第１、第２、及び第３の出力ポート（Ｐｏ１，Ｐｏ２，Ｐｏ３）は、最大３個の入力信号を結合する。
【００２９】
このように、入力ポートの個数は、図６に示すように、入力ポート別にＮ個まで追加することができる。
【００３０】
図７は、本発明の第２の実施形態による概略図である。図に示すように、３個の入力信号を受信する第１乃至第３の入力ポート（Ｐｉ１，Ｐｉ２，Ｐｉ３）と、第１乃至第３の出力ポート（Ｐｏ１，Ｐｏ２，Ｐｏ３）と、３個の入力ポート（Ｐｉ１，Ｐｉ２，Ｐｉ３）を３個の出力ポート（Ｐｏ１，Ｐｏ２，Ｐｏ３）に循環構成形態で二者択一に接続する第１乃至第６のスイッチ（ｓｗ１〜ｓｗ６）と、１つの待機ポート（Ｐ）と、１つの待機ポート（Ｐ）を第１乃至第３の出力ポート（Ｐｏ１，Ｐｏ２，Ｐｏ３）に接続する第１０乃至第１２のスイッチ（ｓｗ１０〜ｓｗ１２）とを備える。
この際、このスイッチは、制御器（図示せず）のスイッチング制御信号により制御される。
【００３１】
以下、動作について説明する。
正常動作において、第１０乃至第１２のスイッチ（ｓｗ１０〜ｓｗ１２）は、常にオフ状態にある。
第１乃至第３の入力ポート（Ｐｉ１，Ｐｉ２，Ｐｉ３）の中の任意の入力ポートに故障が発生した場合には、待機ポート（Ｐ）は、この故障が発生した入力ポートに代わる。
【００３２】
具体的に、第１及び第３の入力ポート（Ｐｉ１，Ｐｉ３）に入力された第１及び第３の入力信号（ｓ１，ｓ３）を第３の出力ポート（Ｐｉ３）に送信し、第２の入力ポート（Ｐｉ２）に入力された第２の入力信号（ｓ２）を第２の出力ポート（Ｐｏ２）に送信する際に、第１の入力ポート（Ｐｉ１）が故障する場合を例に挙げて説明する。
【００３３】
まず、第１、第２、第４、及び第６のスイッチ（ｓｗ１，ｓｗ２，ｓｗ４，ｓｗ６）がオフ状態であり、第３、第５、及び第１２のスイッチ（ｓｗ３，ｓｗ５，ｓｗ１２）がオン状態である。したがって、第１の入力ポート（Ｐｉ１）ではない待機ポート（Ｐ）に入力される第１の入力信号（ｓ１）は、第３の出力ポート（Ｐｏ３）に送信される。また、第２の入力ポート（Ｐｉ２）に入力される第２の入力信号（ｓ２）は、第２の出力ポート（Ｐｏ２）に送信される。
【００３４】
本発明の第２の実施形態に従って、入力ポートのうちの任意の入力ポートに故障が発生した場合に、故障した入力ポートを待機ポートと置き換えることにより入力信号の切断を防止することができる。
一方、上述した待機ポートは、故障した入力ポートの代替手段としての使用に制限されず、追加信号の入力ポートとしても使用されることができる。
【００３５】
図８は、本発明の第３の実施形態による回路構成図である。図に示すように、入力信号を受信する３個の入力ポート（Ｐｉ１，Ｐｉ２，Ｐｉ３）と、３個の出力ポート（Ｐｏ１，Ｐｏ２，Ｐｏ３）と、３個の入力ポート（Ｐｉ１，Ｐｉ２，Ｐｉ３）を３個の出力ポート（Ｐｏ１，Ｐｏ２，Ｐｏ３）に循環構成形態で二者択一に接続する第１乃至第６のスイッチ（ｓｗ１〜ｓｗ６）とを備える。
この際、スイッチ（ｓｗ１〜ｓｗ６）は、制御器（図示せず）のスイッチング制御信号により制御される。
【００３６】
以下、図９を参照して動作について説明する。
図９は、第３の入力ポート（Ｐｉ３）に入力された第３の入力信号（ｓ３）を分配し、第１及び第３の出力ポート（Ｐｏ１，Ｐｏ３）に送信し、第２の入力ポート（Ｐｉ２）に入力された第２の入力信号（ｓ２）を第２の出力ポート（Ｐｏ２）に送信する場合を例に挙げて説明する。
【００３７】
まず、第１、第２、及び第４のスイッチ（ｓｗ１，ｓｗ２，ｓｗ４）がオフ状態であり、第３、第５、及び第６のスイッチ（ｓｗ３，ｓｗ５，ｓｗ６）がオン状態である。
【００３８】
したがって、第３の入力ポート（Ｐｉ３）に入力された第３の入力信号（ｓ３）が分配され、第１及び第３の出力ポート（Ｐｏ１，Ｐｏ３）に送信され、第２の入力ポート（Ｐｉ２）に入力された第２の入力信号（ｓ２）は、第２の出力ポート（Ｐｏ２）に送信される。
【００３９】
上述した第３の実施形態に従うと、３：３スイッチャブル分配器は、３個の入力ポートから３個の入力信号を受信し、これらを３個の出力ポートに送信する。３：３スイッチャブル分配器は、スイッチの状態に基づいて入力信号の出力方向を選択的に設定することができる特徴がある。また、この分配器は、この入力信号を分配し、これらを２つの出力ポートに送信する。
一方、出力ポートが入力ポートに追加されると、この分配器は、Ｍ（入力）：Ｎ（出力）スイッチャブル分配器として動作する。
【００４０】
図１０に示すように、第４の出力ポート（Ｐｏ４）を備える。第７のスイッチ（ｓｗ７）が第３の入力ポート（Ｐｉ３）を第４の出力ポート（Ｐｏ４）に接続する場合に、３：４スイッチャブル分配器は、３個の入力ポートから３個の入力信号を受信し、これらを４個の出力ポートに送信する。
この際、第３の入力ポート（Ｐｉ３）は、この入力信号を最大３個の出力信号に分配する。
【００４１】
図１１に示すように、第５の出力ポート（Ｐｏ５）は、図１０の構成に追加される。第８のスイッチ（ｓｗ８）が第１の入力ポート（Ｐｉ１）を第５の出力ポート（Ｐｏ５）に接続する場合に、３：５スイッチャブル分配器は、３個の入力ポートから３個の入力信号を受信し、これらを５個の出力ポートに送信する。
この際、第１及び第３の入力ポート（Ｐｉ１，Ｐｉ３）の各々は、この入力信号を最大３個の出力信号に分配する。
【００４２】
図１２に示すように、第６の出力ポート（Ｐｏ６）は、図１１の構成に追加される。第９のスイッチ（ｓｗ９）が第２の入力ポート（Ｐｉ２）を第６の出力ポート（Ｐｏ６）に接続する場合に、３：６スイッチャブル分配器は、３個の入力ポートから３個の入力信号を受信し、これらを６個の出力ポートに送信する。
この際、第１、第２、及び第３の入力ポート（Ｐｉ１，Ｐｉ２，Ｐｉ３）の各々は、この入力信号を最大３個の出力信号に分配する。
【００４３】
このように、出力ポートの個数は、図１３に示すように入力ポート別にＮ個まで追加することができる。
【００４４】
図１４は、本発明の第４の実施形態による概略図である。図に示すように、３個の入力信号を受信する第１乃至第３の入力ポート（Ｐｉ１，Ｐｉ２，Ｐｉ３）と、第１乃至第３の出力ポート（Ｐｏ１，Ｐｏ２，Ｐｏ３）と、３個の入力ポート（Ｐｉ１，Ｐｉ２，Ｐｉ３）を３個の出力ポート（Ｐｏ１，Ｐｏ２，Ｐｏ３）に循環構成形態で二者択一に接続する第１乃至第６のスイッチ（ｓｗ１〜ｓｗ６）と、１つの待機ポート（Ｐ）と、この待機ポート（Ｐ）を第１乃至第３の入力ポート（Ｐｉ１，Ｐｉ２，Ｐｉ３）に接続する第１０乃至第１２のスイッチ（ｓｗ１０，ｓｗ１１，ｓｗ１２）とを備える。
この際、このスイッチは、制御器（図示せず）のスイッチング制御信号により制御される。
【００４５】
以下、動作について説明する。
正常動作において、第１０乃至第１２のスイッチ（ｓｗ１０，ｓｗ１１，ｓｗ１２）は、常にオフ状態にある。
第１乃至第３の出力ポート（Ｐｏ１，Ｐｏ２，Ｐｏ３）の中の任意の出力ポートに故障が発生した場合には、待機ポート（Ｐ）は、この故障が発生した出力ポートに代わる。
【００４６】
第３の入力ポート（Ｐｉ３）に入力された第３の入力信号（ｓ３）を分配し、第１及び第３の出力ポート（Ｐｏ１，Ｐｏ３）に送信し、第２の入力ポート（Ｐｉ２）に入力された第２の入力信号（ｓ２）を第２の出力ポート（Ｐｏ２）に送信する際に、第３の出力ポート（Ｐｏ３）が故障する場合を例に挙げて説明する。
【００４７】
正常動作は、この第３の実施形態と同一の方式で実行される。
第３の出力ポート（Ｐｏ３）に故障が発生した場合には、第５のスイッチ（ｓｗ５）はオフ状態であり、第１２のスイッチ（ｓｗ１２）はオン状態である。したがって、待機ポート（Ｐ）は、第３の出力ポート（Ｐｏ３）として動作する。第３の入力ポート（Ｐｉ３）に入力された入力信号は、分配され、第１の出力ポート（Ｐｏ１）及び待機ポート（Ｐ）に送信される。
【００４８】
第４の実施形態に従って、この出力ポートの中の任意の出力ポートに故障が発生した場合に、故障した出力ポートを待機ポートと置き換えることにより出力信号の切断を防止することができる。
また、上述した待機ポートは、故障した出力ポートの代替手段としての使用に制限されず、追加信号の入力ポートとしても使用されることができる。
【００４９】
図１５は、本発明による第５の実施形態による概略図である。第４乃至第６の入力ポート（Ｐｉ４，Ｐｉ５，Ｐｉ６）は、図１に示す構成に追加される。これら入力ポートの各々は、第７乃至第１２のスイッチ（ＳＷ７乃至ＳＷ１２）のスイッチングにより適切な２個の出力ポート間に共通して接続されるように構成される。
【００５０】
具体的に、第４の入力ポート（Ｐｉ４）は、第７のスイッチ（ＳＷ７）により第３の出力ポート（Ｐｏ３）に接続された一端と、第８のスイッチ（ＳＷ８）により第１の出力ポート（Ｐｏ１）に接続された他端とを有する。
【００５１】
第５の入力ポート（Ｐｉ５）は、第９のスイッチ（ＳＷ９）により第１の出力ポート（Ｐｏ１）に接続された一端と、第１０のスイッチ（ＳＷ１０）により第２の出力ポート（Ｐｏ２）に接続された他端とを有する。
【００５２】
また、第６の入力ポート（Ｐｉ６）は、第１１のスイッチ（ＳＷ１１）により第２の出力ポート（Ｐｏ２）に接続された一端と、第１２のスイッチ（ＳＷ１２）により第３の出力ポート（Ｐｏ３）に接続された他端とを有する。
【００５３】
第５の実施形態に従って、追加された第４、第５、及び第６の入力ポート（Ｐｉ４，Ｐｉ５，Ｐｉ６）の各々での入力信号は、少なくとも２個の出力ポートの中の１つに選択的に送信される。
【００５４】
上述した構成において、図６に示したような方式に類似の方式で、第４、第５、及び第６の入力ポート（Ｐｉ４、Ｐｉ５、Ｐｉ６）の各々にｎ個のスイッチとともにｎ個の入力ポートを追加することができる。
【００５５】
図１６は、本発明の第６の実施形態による概略図である。第４、第５、及び第６の出力ポート（Ｐｏ４，Ｐｏ５，Ｐｏ６）は、図８に示した構成に付加される。これら出力ポートの各々は、第７乃至第１２のスイッチ（ＳＷ７乃至ＳＷ１２）のスイッチングにより適切な２個の出力ポート間に共通して接続されるように構成される。
【００５６】
具体的に、第４の出力ポート（Ｐｏ４）は、第７のスイッチ（ＳＷ７）により第３の入力ポート（Ｐｉ３）に接続された一端と、第８のスイッチ（ＳＷ８）により第１の入力ポート（Ｐｉ１）に接続された他端とを有する。
【００５７】
第５の出力ポート（Ｐｏ５）は、第９のスイッチ（ＳＷ９）により第１の入力ポート（Ｐｉ１）に接続された一端と、第１０のスイッチ（ＳＷ１０）により第２の入力ポート（Ｐｉ２）に接続された他端とを有する。
【００５８】
また、第６の出力ポート（Ｐｏ６）は、第１１のスイッチ（ＳＷ１１）により第２の入力ポート（Ｐｉ２）に接続された一端と、第１２のスイッチ（ＳＷ１２）により第３の入力ポート（Ｐｉ３）に接続された他端とを有する。
【００５９】
第６の実施形態に従って、第１、第２、及び第３の入力ポート（Ｐｉ１，Ｐｉ２，Ｐｉ３）の各々での入力信号は、第４及び第５の出力ポート（Ｐｏ４，Ｐｏ５）、第５及び第６の出力ポート（Ｐｏ５，Ｐｏ６）、又は第４及び第６の出力ポート（Ｐｏ４，Ｐｏ６）に適切に分配される。
【００６０】
上述した構成において、図１３に示したような方式に類似の方式で、第４、第５、及び第６の出力ポート（Ｐｏ４，Ｐｏ５，Ｐｏ６）の各々にｎ個のスイッチとともにｎ個の入力ポートを追加することができる。
【００６１】
図１７は、本発明の一実施形態による基地局に適用されたスイッチャブル結合器及び分配器アセンブリー１０を示す図である。図１７に示すように、データ生成ネットワーク５０は、データを生成し、データ信号１３として、この生成されたデータを遠隔テクノロジー又はハードウェアリソースを通して提供する手段を有する。データ信号１３は、データ信号１３の受信及び処理を実行し、分配器回路１８に提供される入力信号（Ｐｉ１）を生成するための手段を有する送受信器１６に提供される。
【００６２】
分配器回路１８は、入力信号（Ｐｉ１）を第１の信号（Ｐｉ１'）及び第２の信号（Ｐｉ１”）に分配するための回路手段を有する。第１の信号（Ｐｉ１'）は、第１のスイッチ（Ｓ１）に提供され、第２の信号（Ｐｉ１”）は、第８のスイッチ（Ｓ８）に提供される。第１のスイッチ（Ｓ１）が閉じる場合には、出力信号（Ｐｏ１）が生成され、同様に、第８のスイッチ（Ｓ８）が閉じる場合には、出力信号（Ｐｏ５）が生成される。第１のスイッチ（Ｓ１）からの出力信号（Ｐｏ１）は、増幅された入力信号（Ｐｉ１'）を生成するために設計された第１のＲＦ増幅器２０に提供される。第２のＲＦ増幅器２２は、第８のスイッチ（Ｓ８）からの出力信号（Ｐｏ５）を受信し、増幅された入力信号（Ｐｉ５’）を生成する。
【００６３】
図１７に示すように、また、結合器回路２４は、第１のスイッチ（Ｓ１）及び第８のスイッチ（Ｓ８）を備える。第１のスイッチ（Ｓ１）は、増幅された入力信号（Ｐｉ１’）を受信し、第８のスイッチ（Ｓ８）は、増幅された入力信号（Ｐｉ５'）を受信する。２個のスイッチ（Ｓ１、Ｓ８）が閉じる場合には、２個の信号（Ｐｉ１'，Ｐｉ５’）は、結合器回路２４により結合されることにより出力信号（Ｏ）を生成する。出力信号（Ｏ）は、ＲＦ送受信アンテナ２８に提供され、無線送信される。
【００６４】
図１７に示すように、基地局１２は、ファームウェア２６Ｂにより動作されるマイクロコントローラ２６Ａで構成される制御回路２６を含む。制御回路２６は、分配器回路１８に位置しているスイッチ（Ｓ１及びＳ８）及び結合器回路２４に位置しているスイッチ（Ｓ１及びＳ８）の動作シーケンスの選択及び制御を実行するための手段を有する。
【００６５】
スイッチャブル結合器及び分配器アセンブリー１０で使用されるスイッチ及び信号は、図４、図５、図１１、及び図１２に示すような循環構成形態を適用することができる。
【００６６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００６７】
１０・・・スイッチャブル結合器及び分配器アセンブリー、
１２・・・基地局、
１６・・・送受信器、
１８・・・分配器回路、
２０・・・第１のＲＦ増幅器、
２２・・・第２のＲＦ増幅器、
２４・・・結合器回路、
２６・・・制御回路、
２６Ａ・・・マイクロコントローラ、
２６Ｂ・・・ファームウェア、
２８・・・ＲＦ送受信アンテナ、
５０・・・データ生成ネットワーク、
Ｓ１・・・第１のスイッチ、
Ｓ８・・・第８のスイッチ。
【図１】
2010504681.tif 000003
【図２】
2010504681.tif 000004
【図３】
2010504681.tif 000005
【図４】
2010504681.tif 000006
【図５】
2010504681.tif 000007
【図６】
2010504681.tif 000008
【図７】
2010504681.tif 000009
【図８】
2010504681.tif 000010
【図９】
2010504681.tif 000011
【図１０】
2010504681.tif 000012
【図１１】
2010504681.tif 000013
【図１２】
2010504681.tif 000014
【図１３】
2010504681.tif 000015
【図１４】
2010504681.tif 000016
【図１５】
2010504681.tif 000017
【図１６】
2010504681.tif 000018
【図１７】
2010504681.tif 000019
【国際調査報告】
2010504681.tif 000020
2010504681.tif 000021